(57)【要約】【課題】  無線にて報知できる情報量に制約があるため、電源状態・対応規格を報知できない場合が発生する。【解決手段】  受電の検知あるいは電池残量減の検知をトリガとして報知するデータを電源情報を優先するように変更する。【選択図】  図４
2015109749.tif 000002
【特許請求の範囲】
【請求項１】
通信装置であって、
他の装置から無線により送電される電力を受電する受電手段と、
無線電力伝送を示す情報を含めないサービス情報の報知から前記無線電力伝送を示す情報を含めたサービス情報の報知に前記受電手段による受電に応じて切替えて、サービス情報を報知する報知手段と、
を有することを特徴とする通信装置。
【請求項２】
前記報知手段は、前記受電手段により受電していない場合、前記無線電力伝送を示す情報を含めないサービス情報を報知することを特徴とする請求項１に記載の通信装置。
【請求項３】
前記無線電力伝送を示す情報を含めないサービス情報の報知は、前記無線電力伝送と異なる処理を示す情報が含まれることを特徴とする請求項１または２に記載の通信装置。
【請求項４】
前記報知手段は、前記受電手段による受電に応じて、前記無線電力伝送を示す情報を含めず、他の処理を示す情報を含めたサービス情報の報知から前記無線電力伝送を示す情報を含め、前記他の処理を含めないサービス情報の報知に切替えることを特徴とする請求項１または２に記載の通信装置。
【請求項５】
前記無線電力伝送を示す情報には、無線電力伝送の方式を示す情報が含まれることを特徴とする請求項１乃至４の何れか１項に記載の通信装置。
【請求項６】
前記報知手段による無線電力伝送を示す情報を含めたサービス情報の報知を受信した前記他の装置に対して無線電力伝送を行うための制御情報を送信する送信手段とを有し、
前記受電手段は、前記他の装置による前記制御情報の受信に応じて前記他の装置が大きくした送電電力による送電を前記他の装置から無線により受電することを特徴とする請求項１乃至５何れか１項に記載の通信装置。
【請求項７】
前記受電手段による受電が終了した場合、前記報知手段は、無線電力伝送を示す情報を含めたサービス情報の報知から前記無線電力伝送を示す情報を含めないサービス情報の報知に切替えることを特徴とする請求項１乃至６何れか１項に記載の通信装置。
【請求項８】
前記受電手段により受電した電力を蓄電する蓄電手段とを有することを特徴とする請求項１乃至７何れか１項に記載の通信装置。
【請求項９】
前記報知手段は、前記受電手段により受電した電力を用いてサービス情報の報知を行うことを特徴とする請求項１乃至８何れか１項に記載の通信装置。
【請求項１０】
前記他の装置からの電磁界に基づいて起電することで受電することを特徴とする請求項１乃至９何れか１項に記載の通信装置。
【請求項１１】
通信装置であって、
他の装置から無線により送電される電力を受電する受電手段と、
無線電力伝送を示す情報を含めたサービス情報の報知を開始する報知手段と
を有することを特徴とする通信装置。
【請求項１２】
前記報知手段は、ＢＬＵＥＴＯＯＴＨ（登録商標）  ＬＯＷ  ＥＮＥＲＧＹを用いて前記サービス情報を報知することを特徴とする請求項１乃至１１何れか１項に記載の通信装置。
【請求項１３】
前記報知手段は、ＢＬＵＥＴＯＯＴＨ（登録商標）  ＬＯＷ  ＥＮＥＲＧＹを用いてアドバタイズパケットにより前記サービス情報を報知することを特徴とする請求項１乃至１２何れか１項に記載の通信装置。
【請求項１４】
通信装置の制御方法であって、
他の装置から無線により送電される電力を受電する受電工程と、
無線電力伝送を示す情報を含めないサービス情報の報知から前記無線電力伝送を示す情報を含めたサービス情報の報知に前記受電工程における受電に応じて切替えて、サービス情報を報知する報知工程と、
を有することを特徴とする通信装置の制御方法。
【請求項１５】
請求項１４に記載の制御方法をコンピュータに実行させるためのプログラム。
【発明の詳細な説明】
【技術分野】
【０００１】
自機器の情報を報知する無線通信装置に関する
【背景技術】
【０００２】
無線通信を行う通信方式としてＢＬＵＥＴＯＯＴＨ（登録商標）  ＬＯＷ  ＥＮＥＲＧＹ（以下、ＢＬＥと称す）がある。ＢＬＥでは、周囲に存在する無線機に自機情報を報知するアドバタイズパケットのデータ部分は０〜３２バイトから選択可能であることを規定している。また、ＢＬＵＥＴＯＯＴＨ（登録商標）を用いて無線電力伝送における装置間の情報伝達を用いる技術が提案されている（特許文献１）。
【先行技術文献】
【特許文献】
【０００３】
【特許文献１】特表２０１３−５３０６６８
【発明の概要】
【発明が解決しようとする課題】
【０００４】
ＢＬＥを用いて自機情報を周囲の無線機に報知がする場合、上述のようにアドバタイズパケットのデータ容量に制限があるため、自装置が対応しているサービスやプロファイルの全てが含められない場合が発生する。
【０００５】
特許文献１のように無線電力伝送における制御情報の装置間のやりとりにＢＬＥを適用した場合を考える。この場合、通信装置が常に無線電力伝送に対応していることを示すサービス情報をアドバタイズパケットに入力して報知すると、無線電力伝送以外のサービスやプロファイルを報知できなくなってしまう。このようにすると、無線電力伝送以外のサービスを他の装置と速やかに開始できなくなってしまう恐れがある。逆に、通信装置が無線電力伝送に対応していることを示すサービス情報をアドバタイズパケットに入力しないとすると、無線電力伝送を行う相手装置と速やかに無線電力伝送が行えなくなってしまう。
【０００６】
本発明は、サービス情報を報知する際の問題を解決することを目的とする
【課題を解決するための手段】
【０００７】
上記課題を解決するために、本発明の通信装置は、他の装置から無線により送電される電力を受電する受電手段と、前記受電手段による受電に応じて無線電力伝送サービスを含めたサービス情報を報知する報知手段と、を有することを特徴とする。
【発明の効果】
【０００８】
本発明によれば、通信装置が受電に応じて無線電力伝送サービスのサービス情報を報知できる。
【図面の簡単な説明】
【０００９】
【図１】実施例１におけるカメラと充電台の接続を示す
【図２】実施例１におけるカメラ１０１の構成
【図３】実施例１における充電台１０２の構成
【図４】実施例１におけるシーケンスを示す
【図５】アドバタイズパケット構成
【図６】アドバタイズデータ構成
【図７】実施例１におけるアドバタイズデータ構成
【図８】実施例１におけるカメラ１０１の動作を示す
【図９】実施例１における充電台１０２の動作を示す
【発明を実施するための形態】
【００１０】
〔実施例１〕
本実施例は、無線給電を行う充電台と無線受電能力を持つカメラから構成され、カメラが充電台からの電力を受電した際の動作について述べる。
【００１１】
図１は本実施例における構成を示す。カメラ１０１はＢＬＵＥＴＯＯＴＨ（登録商標）  ＬＯＷ  ＥＮＥＲＧＹ（ＢＬＥ）規格を用いた無線通信機能と、無線受電機能を有し、充電台１０２とは無線通信機能を利用して無線電力伝送に関する情報の送受信を行う。充電台１０２はＢＬＵＥＴＯＯＴＨ（登録商標）  ＬＯＷ  ＥＮＥＲＧＹ規格を用いた無線通信機能と無線送電機能を有し、充電台に置かれた受電装置に対し、無線通信機能を用いて無線給電情報の送受信を行う。
【００１２】
図２はカメラ１０１の構成を示す。カメラ１０１は、無線部２０１、制御部２０２、コイル２０３、受電部２０４、電池２０５、表示部２０６、操作部２０７、撮像部２０８を有する。図２において、無線部２０１はＢＬＥに対応した無線チップと２．４ＧＨＺに対応したアンテナを有し、ＢＬＥに準拠した無線通信を行う。無線部２０１は、カメラ１０１が有するサービスを周囲の他の通信装置に報知するため、ＢＬＥ規格にて規定されるアドバタイズパケットを送信する。
【００１３】
制御部２０２はＣＰＵ（ＣＥＮＴＲＡＬ  ＰＲＯＣＥＳＳＩＮＧ  ＵＮＩＴ）、メモリを有する。制御部２０２は、メモリに記憶されている制御プログラムをＣＰＵが実行し、各ハードウェアの制御および情報の演算のおよび加工を行うことで、カメラ１０１全体の制御を行う。制御部２０２は、アドバタイズパケットに入力される自装置が対応するサービス情報、プロファイルの設定を行う。また、制御部２０２は、データ送受信信号の生成と保存、電源の切り替えなどを含む電源制御も行う。
【００１４】
コイル２０３は無線にて電力を受電するためのアンテナであり、磁界共鳴方式あるいは電磁誘導方式より受電する。受電部２０４は、充電台からの電磁界（電磁波）に基づいてコイル２０３において起電された電力を受電する。また、受電部２０４はコイル２０３より受電した電力の有無を検知する。また、受電部２０４は受電した高周波電力を整流し直流電力への変換を行う。なお、受電部２０４は、電池２０５からの電力で制御部２０２と無線部２０１を動作させることができず、受電を行うための通信を開始できない場合、制御部２０２と無線部２０１のみに給電し、充電台１０２との通信を行わせる。電池２０５は、カメラ１０１内の各ブロックへの給電を行う電源である。電池２０５は、コイル２０３を介して受電部２０４により生成された電力により充電され、蓄電を行う。電池２０５の電池残量は制御部２０２より読みだすことが可能である。
【００１５】
表示部２０６は、各種表示を行う表示部でありＬＣＤやＬＥＤのように視覚で認知可能な情報の出力、あるいはスピーカなどの音出力が可能な機能を有する。表示部１０５は視覚情報および音情報の少なくともどちらか一方を出力する機能を備えるものである。表示部１０５は視覚情報を表示する場合、表示する視覚情報に対応する画像データを保持するＶＲＡＭ（ＶＩＤＥＯ  ＲＡＭ）を有する。表示部１０５は、ＶＲＡＭに格納した画像データをＬＣＤやＬＥＤに表示させ続ける表示制御を行う。表示部２０６は、撮像部２０８で撮像された画像表示および制御部２０２内のメモリに保存した画像および設定情報、電池残量を表示する。また、表示部２０６は、充電処理の状態を表示する。
【００１６】
操作部２０７は、ユーザが各種入力等を行い、通信装置を操作するための操作部である。操作部２０７は、入力に対応するフラグをメモリに記憶する。操作部２０７は、撮影、再生、カメラ設定、無線設定を行うための入力装置であり、ボタン、ダイアル、タッチパネルなどで構成される。撮像部２０８は、画像を撮像する。撮像部２０８は、レンズ、エリアセンサ、画像処理回路などから構成される。撮像部２０８により撮像された画像は制御部２０２内のメモリに保存される。
【００１７】
図３は充電台１０２の構成を示す。充電台１０２は、無線部３０１、制御部３０２、コイル３０３、送電部３０４、電源３０５を有する。図３において。無線部３０１はＢＬＥに対応した無線チップと２．４ＧＨＺに対応したアンテナを有し、ＢＬＥに準拠した無線通信を行う。無線部２０１は、周囲の他の通信装置が報知する報知信号すなわちアドバタイズパケットを受信する。充電台１０２は、自装置に対応する無線電力伝送方式に対応するサービス情報を含むアドバタイズパケットを他の装置から受信した場合、当該他の装置と接続する。電源３０５は、商業用電源から動作用の電力を取得する。なお、無線部３０１は、自装置が無線電力伝送サービスに対応していることを示すアドバタイズパケットを報知するようにして良い。
【００１８】
続いて、カメラ１の無線部２０１より報知されるアドバタイズパケットの構成を、図５を用いて説明する。図５に示す通り、アドバタイズパケットは、プリアンブル５０１、アクセスアドレス５０２、アドバタイジングヘッダ５０３、ペイロードレングス５０４、アドバタイザーアドレス５０５、アドバタイジングデータ５０６、ＣＲＣ５０７により構成される。プリアンブル５０１は、パケットの検出と受信タイミングの同期を取るために用いられる。アクセスアドレス５０２は、パケット種別を示す。なお、アドバタイジングパケットを示す場合、アクセスアドレス５０２は固定値が入力される。アドバタイジングヘッダ５０３は、タイシングパケットの種類を示す。ペイロードレングス５０４はペイロードのデータサイズを示す。アドバタイザーアドレス５０５は、送信元を示す。アドバタイジングデータ５０６は、０から３２バイトの範囲で設定でき、自装置のサービス情報、プロファイルに関するデータが入力される。ＣＲＣ５０７は、誤り検出のためのデータである。
【００１９】
以上の構成を有するシステムにおける動作を以下に説明を行う。
【００２０】
カメラ１０１の動作を、図８に示すフローチャートを用いて説明する。なお、図８のフローチャートは制御部２０２に含まれるメモリに記憶される制御プログラムを制御部２０２に含まれるＣＰＵが実行することにより実行される。処理が開始されるとカメラ１０１の制御部２０２は、受電部２０４により外部装置から送電を受けていないことを確認すると、非受電時用のサービス情報をアドバタイズデータに設定する。非受電時用のサービス情報が設定されたアドバタイズデータを図６に示す。
【００２１】
図６において、６０１は、アドバタイズデータの報知モードを示す領域であり、図６においてはすべての無線機器へ報知するモードであることを示す「ＧＥＮＥＲＡＬ  ＤＩＳＣＯＶＥＲＡＢＬＥ  ＭＯＤＥ」が入力されている。６０２は、アドバタイズデータが送信された際の送信電力を示す領域であり、送信電力値が入力される。６０３は、カメラ１０１が有するサービス情報が入力される領域であり、サービスの識別子であるＵＵＩＤ（ＵＮＩＶＥＲＳＡＬＬＹ  ＵＮＩＱＵＥ  ＩＤＥＮＴＩＦＩＥＲ）が入力される。なお、ここではＵＵＩＤ全体１２８ビット中の一部１６ビットを示すＮＯＮ−ＣＯＭＰＬＥＴＥ  ＬＩＳＴ  ＯＦ  １６−ＢＩＴ  ＳＥＲＶＩＣＥ  ＵＵＩＤＳが入力される。
【００２２】
図６ではカメラ１０１が有するサービス情報を３つ報知する例を示している。図６において入力されるサービスは、「ＬＩＮＫ  ＬＯＳＳ」、「ＩＭＭＥＤＩＡＴＥ  ＡＬＡＲＴ」、「ＢＡＴＴＥＲＹ  ＳＵＲＥＶＩＣＥ」の３種類である。「ＬＩＮＫ  ＬＯＳＳ」サービスは、他の通信装置からの設定により無線部２０１による無線接続時に電波状況により接続できなくなったことを通知するサービスである。「ＩＭＭＥＤＩＡＴＥ  ＡＬＡＲＴ」は、無線部２０１により接続している対向機からアラート信号を受信した場合、表示部２０６等に警告表示を出すサービスである。ＢＡＴＴＥＲＹ  ＳＵＲＥＶＩＣＥは、無線部２０１により接続している対向機に自装置の電池残量を通知するサービスである。
【００２３】
続いて、図６において６０４はカメラ１０１の名称を示すローカルネームを入力する領域である。なお、これらの情報をアドバタイジングデータ５０６入力した場合、最大値の３２バイトとなる。したがって、アドバタイズパケットには、これ以上のサービス情報を付加することができず、カメラ１０１が他のサービスに対応していても、該サービスを有していることを報知することができない。
【００２４】
図８に戻り、無線部２０１はＳ８０１で設定された情報に従い、アドバタイズパケットを周期的に繰り返しブロードキャスト送信する（Ｓ８０２）。なお、本実施例において無線部２０１は、規格で選択できる周期の中から消費電力と応答性を考慮し、アドバタイズパケットを１．２８秒周期で繰り返し送信する（Ｓ８０２）。制御部２０２は、受電部２０４にてコイル２０３から微弱電力を検知したかを確認する（Ｓ８０３）。カメラ１０１は、微弱電力を検知することにより自装置が充電台１０２の送電可能範囲に配置されことを認識する。微弱電力を検知しない場合は、Ｓ８０１で設定されたアドバタイズパケットを送信する。受電部２０４が微弱電力を検知すると、制御部２０２は、受電時用のサービス情報をアドバタイズデータに設定する（Ｓ８０４）。なお、受電時用のサービス情報には、無線電力伝送サービスが含まれる。受電時用のサービス情報が設定されたアドバタイズデータを図７に示す。
【００２５】
図７において、７０１は、アドバタイズデータの報知モードを示す領域であり、図７においては、３０秒の間にのみ報知するモードであることを示す「ＬＩＭＩＴＥＤ  ＤＩＳＣＯＶＥＲＡＢＬＥ」が入力されている。７０２は、アドバタイズデータが送信された際の送信電力を示す領域であり、送信電力値が入力される。カメラ１０１が有するサービス情報が入力される領域であり、サービスの識別子であるＵＵＩＤ（ＵＮＩＶＥＲＳＡＬＬＹ  ＵＮＩＱＵＥ  ＩＤＥＮＴＩＦＩＥＲ）が入力される。なお、ここではＵＵＩＤ全体１２８ビット中の一部１６ビットを示すＮＯＮ−ＣＯＭＰＬＥＴＥ  ＬＩＳＴ  ＯＦ  １６−ＢＩＴ  ＳＥＲＶＩＣＥ  ＵＵＩＤＳが入力される。
【００２６】
図７ではカメラ１０１が有するサービス情報を２つ報知する例を示している。図６において入力されるサービスは、「ＲＸ  ＥＬＥＣＴＲＩＣＩＴＹ」、「ＢＡＴＴＥＲＹ  ＳＵＲＥＶＩＣＥ」の２種類である。「ＲＸ  ＥＬＥＣＴＲＩＣＩＴＹ」、所定の無線電力伝送方式により受電するサービスを示す。  このように、カメラ１０１は、送電装置の送電可能な範囲に配置され、送電装置から無線で送電された検出用電力を受電した場合に、アドバタイズパケットに所定の無線電力伝送方式により受電するサービスに対応していることを示す情報を設定する。従って、送電装置の送電可能な範囲に配置されていない場合には、所定の無線電力伝送方式により受電するサービス対応していることを示す情報を報知せず、代わりに他のサービスに対応していることを周辺に存在する他の通信装置に通知することができる。
【００２７】
無線部２０１は、Ｓ８０４で設定された受電時用のサービス情報に内容を変更したアドバタイズパケットパケットの周期的な送信を行う（Ｓ８０５）。制御部２０２は、対向装置が自装置と対応する無線電力伝送サービスを実行可能かを所定期間の間判定する（Ｓ８０６）。なお、ここで所定期間とは、受電時用のサービス情報が設定されたアドバタイズパケットを報知する３０秒とする。Ｓ８０６における判定は、充電台１０２から送信されたアドバタイズパケットに、対応する無線電力伝送サービスの情報が含まれているか否かで判定する。また、Ｓ８０６における判定は、充電台１０２からＢＬＥによる接続要求が無い場合は、対向装置が自装置と対応する無線電力伝送サービスを実行可能ではないと判定する。また、Ｓ８０６における判定は、充電台１０２とＢＬＥによる接続後に、ＢＬＥによる通信により自装置と対応する無線電力伝送サービスを実行可能であることを示す情報の有無により判定するようにしてよい。
【００２８】
Ｓ８０６における判定により、対向装置が自装置と対応する無線電力伝送サービスを実行可能ではないと判定した場合、Ｓ８０１の処理に戻る。一方、Ｓ８０６における判定により、対向装置が自装置と対応する無線電力伝送サービスを実行可能であると判定した場合、受電部２０４は、受電を開始する（Ｓ８０７）。なお、Ｓ８０７に先だって、無線部２０１は、充電台１０２に対して、要求する受電電力、現在の電池残量など、無線電力伝送を行うための制御情報を通知するようにしてよい。また、無線部２０１は、無線電力伝送を行うための制御情報を通知した後に充電台１０２とのＢＬＥの接続を切断するようにし、制御情報を通信する必要がある場合にのみ接続を行うようにして良い。なお、受電中は、受電時用のサービス情報が設定されたアドバタイズパケットを周期的に送信し続けるようにして良い。そして、制御部２０２は、受電を終了するかを判定する（Ｓ８０８）。例えば、制御部２０２は、電池２０５が満充電になった場合などで受電を行う必要が無くなった場合受電を終了すると判定する。なお、充電台１０２からの送電が無くなった場合、即ち、受電を検知できなくなった場合も制御部２０２は、受電を終了すると判定する。受電を終了すると判定した場合、無線電力伝送サービス以外のサービスを実行する場合に備えて、制御部２０２は、受電時用のサービス情報をアドバタイズデータに設定し、処理を終了する（Ｓ８０９）。また、カメラ１０１は、受電を終了する場合に、送電装置に対して送電停止を要求する制御情報を送信してよい。また、Ｓ８０９に変えて再びＳ８０１からの処理を繰り返すようにしてよい。
【００２９】
このように、本実施例におけるカメラ１０１による動作によれば、充電台１０２と近接され、受電を行うことができる場合にのみ、アドバタイズパケットに無線電力伝送サービスに対応することを示すサービス情報を含める。また、カメラ１０１が充電台１０２からの電力を受電できない位置に配置されて、無線電力伝送サービスを実行する可能性が低い場合は、代わりに他のサービス情報を周辺に存在する機器に報知する。これにより、サービス情報を入力するためのデータ量に限りがあるアドバタイズパケットでも、カメラ１０１の状況に応じて、カメラ１０１が実行する可能性の高いサービスに関する情報を周辺の機器に通知することが可能になる。したがって、カメラ１０１は、データ量に限りがあるアドバタイズパケットを用いても、状況に応じて実行する可能性が高いサービス情報を効率的に周辺に存在する機器に通知することが可能になる。
【００３０】
続いて、充電台１０２の動作を図９に示すフローチャートを用いて説明する。充電台１０２は、送電部３０４は、受電装置が充電台１０２に用いる検出用電力である微弱な電力（例えば０．１Ｗ）をコイル３０３から無線で送電する（Ｓ９０１）。続いて無線部３０１は、他の通信装置から送信されたアドバタイズパケットを受信したかを否か判定する。アドバタイズパケットを受信した場合は受信したアドバタイズパケットに含まれるアドバタイズデータの内容から無線による受電サービスに対応しているか否かを判断する。アドバタイズデータにサービスとしてＲＸ  ＥＬＥＣＴＲＩＣＩＴＹが記載されている場合受電サービスがあると判断する。なお、受電サービスに対応していないと判定された場合はＳ９０１の処理に戻る。充電台１０２は、受電サービスに対応していると判定された場合、アドバタイズパケットを送信した機器が充電台１０２に載っているか否かを判定する。充電台１０２は、受信したアドバタイズデータに含まれる送信電力値と無線部３０１によりアドバタイズパケットを受信した際の受信信号強度（ＲＳＳＩ）に基づいて、アドバタイズパケットを送信した機器が充電台１０２上に載っているか否かを判定する。
【００３１】
制御部３０２は、アドバタイズデータに含まれる送信電力値とアドバタイズパケットを受信した際の受信信号強度との差分電力閾値３０ＤＢを下回ると当該機器が充電台１０２に載っていると判断する。３０ＤＢを超えると距離が離れており充電台１０２に載っていないと判断する（Ｓ９０４）。
【００３２】
アドバタイズパケットを送信した機器が充電台１０２に乗っていない場合はＳ９０１に戻る。アドバタイズパケットを送信した機器が充電台１０２に乗っている場合は、無線部３０１は当該機器にから要求電力量や電池残量等の制御情報を取得する（Ｓ９０５）。送電部３０４は、取得した制御情報に基づいて送電用電力値（例えば１０Ｗ）による送電を開始する（Ｓ９０６）。そして、制御部３０２は、送電を終了するかを判定し、終了する場合は、Ｓ９０１に処理を戻す。
【００３３】
続いて、カメラ１０１と充電台１０２の動作シーケンスを図４に示す。カメラ１０１は、処理を開始すると、非受電時用のサービス情報が設定されたアドバタイズパケットの報知を開始する。なお、Ｓ４０１では、カメラ１０１は、充電台１０２と無線電力伝送が行えない位置に日知され、十分距離が離れている。Ｓ４０１で報知されるサービス情報は図６の内容である。
【００３４】
充電台１０２は、処理を開始すると、アドバタイズパケットの受信の有無の確認、受電装置により充電台１０２の検出に用いられる検出用電力である微弱電力の送信を開始する。そして、ユーザによりカメラ１０１は充電台１０２に置かれ、カメラ１０１と充電台１０２とが無線電力伝送が可能な位置に配置される（Ｓ４０３）。そして、カメラ１０１は、充電台１０２と無線電力伝送が可能な位置に配置されることにより、充電台１０２が送電する微弱電力を受電部２０４により受電する（Ｓ４０４、Ｓ４０５）。カメラ１０１は、充電台１０２からの微弱電力を検知すると、受電時用のサービス情報を設定したアドバタイズパケットの送信に切替える（Ｓ４０６）。なお、この場合に報知されるサービス情報は図７に示すものであり、無線電力伝送サービスが入力される。なお、電池２０５の残量が無い場合は、Ｓ４０１にてアドバタイズデータの送信は行わず、Ｓ４０４にて受電した電力にて図７に示すアドバタイズデータを送信するようにしてよい。
【００３５】
充電台１０２は、無線電力伝送サービスを含んだアドバタイズパケットをカメラ１０１からを受信すると、アドバタイズパケットを送信したカメラ１０１と無線電力伝送が可能な位置に配置されているかを確認する。（Ｓ４０７）。充電台１０２は、カメラ１０１と無線電力伝送が可能な位置に配置されてることを確認数と、カメラ１０１と接続し、無線電力伝送を行うための制御情報をカメラ１０１と通信する（Ｓ４０８）。そして、充電台１０２は、強電力によるカメラに１０１に対する送電を開始する。（Ｓ４０９）。
【００３６】
以上説明したように本実施例におけるカメラ１０１による動作によれば、充電台１０２と近接され、受電を行うことができる場合にのみ、アドバタイズパケットに無線電力伝送サービスに対応することを示すサービス情報を含める。また、カメラ１０１が充電台１０２からの電力を受電できない位置に配置されて、無線電力伝送サービスを実行する可能性が低い場合は、代わりに他のサービス情報を周辺に存在する機器に報知する。これにより、サービス情報を入力するためのデータ量に限りがあるアドバタイズパケットでも、カメラ１０１の状況に応じて、カメラ１０１が実行する可能性の高いサービスに関する情報を周辺の機器に通知することが可能になる。したがって、カメラ１０１は、データ量に限りがあるアドバタイズパケットを用いても、状況に応じて実行する可能性が高いサービス情報を効率的に周辺に存在する機器に通知することが可能になる。
【００３７】
また、常に、無線電力伝送サービスをアドバタイズデータに含める場合と比較して、他に実行される可能性が高いサービスの情報をより多く周辺に存在する機器に知らせることが可能となる。
【００３８】
また、本実施例の別の効果として、必要時のみアドバタイズデータの内容を変更することで、アドバタイズパケット長の増大を防ぎ電池の持続時間をのばすことが可能となる。
【００３９】
本実施例における通信装置（カメラ１０１）は、他の装置から無線により送電される電力を受電する受電部と、受電部による受電に応じて無線電力伝送サービスを含めたサービス情報を報知する（Ｓ４０６）。本実施例における通信装置は、受電部により受電していない場合、無線電力伝送サービスを含めないサービス情報を報知する（Ｓ４０１）。
【００４０】
本実施例における通信装置は、受電部による受電に応じて、無線電力伝送サービスを含めないサービス情報の報知から無線電力伝送サービスを含めたサービス情報の報知に切替える（４０６）。本実施例における通信装置は、受電手段による受電に応じて、無線電力伝送サービスを含めず、他のサービスを含めたサービス情報の報知から無線電力伝送サービスを含め、他のサービスを含めないサービス情報の報知に切替える（Ｓ４０６）。
【００４１】
本実施例における通信装置（カメラ１０１）が報知する無線電力伝送サービスに関するサービス情報には、無線電力伝送の方式を示す情報が含まれる（Ｓ４０６）。本実施例における通信装置は、無線電力伝送サービスを含めたサービス情報の報知を受信した他の装置に対して無線電力伝送を行うための制御情報を送信する。本実施例における通信装置は、他の装置による制御情報の受信に応じて他の装置が大きくした送電電力を他の装置から無線により受電する。
【００４２】
本実施例における通信装置は、受電が終了した場合、無線電力伝送サービスを含めたサービス情報の報知から無線電力伝送サービスを含めないサービス情報の報知に切替える（Ｓ４０６）。本実施例における通信装置は、受電部により受電した電力を蓄電する（電池２０５）。本実施例における通信装置は、受電部により受電した電力を用いてサービス情報の報知を行う。
【００４３】
なお、上述の実施例において、Ｓ４０９における無線電力伝送を行っている場合に、カメラ１０１と充電台１０２との無線部２０１、３０１間の接続は維持し続ける必要はい。必要な制御情報を通信する場合にのみ、カメラ１０１と充電台１０２との無線接続を確立するようにしてよい。また、装置間の無線電力伝送を行うための制御情報の通信をアドバタイズパケットに含めて行うようにしてよい。
【００４４】
なお、Ｓ４０１における非受電時のサービス情報に、例えば、自装置が実行可能なサービスが全てアドバタイズデータに入力できる場合等は、無線電力伝送サービスに関するサービス情報を含めることも可能である。
【００４５】
Ｓ４０３において、カメラ１０１は充電台１０２に置かれたあと、受電部２０４が受電検知によりアドバタイズデータの内容を変更した。しかしながら、カメラ１０１が充電台１０２に置かれたあと、操作部２０７のボタンをユーザが押したことによりアドバタイズデータの内容を変更してもよい。
【００４６】
Ｓ４０７において、アドバタイズデータに無線電力伝送の規格種別情報を含めて報知し、充電台１０２で対応する無線電力伝送の規格が実行可能な場合にのみ、無線電力伝送を行うようにして良い。
【００４７】
また、本実施例では充電台に置かれる受電装置がカメラ１０１の１台で説明したため充電台１０２は微弱電力を送信し、カメラ１０１の給電検知をおこなった。しかしながら、複数の受電装置に対して同時に送電可能な送電装置の場合、１台目の受電装置に送電中に２台目の受電装置が送電装置上に配置されることなる。このような場合、２台目は強給電状態の電力を受電検知することでアドバタイズデータの内容を変更するようにして良い。
【００４８】
（その他の実施例）
上述の実施例では、受電装置が送電装置から送電された電力を受電したことに応じて、アドバタイズパケットに無線電力伝送サービスの情報を入力するようにした。しかしながら、受電装置の電池残量が所定値（例えば、電池残量１０％）を下回った場合にアドバタイズパケットの内容を実施例１のように変更するようにして良い。また、送電装置または他の装置が受電装置の「ＢＡＴＴＥＲＹ  ＳＵＲＥＶＩＣＥ」により、電池残量が所定値（例えば、電池残量１０％）を下回った場合、該受電装置への充電を促すメッセージを表示する構成にして良い。
【００４９】
また、上述の実施例では、受電装置がカメラの例を記載したが、本実施例の受電装置は、携帯電話、ＰＤＡ、ノートパソコン、プリンタ等のカメラ以外の電子機器であって良い。
【００５０】
また、上述の実施例では、受電装置が受電に応じて、アドバタイズパケットの内容を変更して報知を行う例を示した。しかしながら、受電装置が受電に応じて、アドバタイズパケットの報知を開始するようにして良い。このようにすると受電装置が無線電力伝送以外の他のサービスが実行できない装置である場合、不必要なアドバタイズパケットの送信を低減することができる。即ち、受電年装置が送電装置と無線電力伝送を行うことが可能な範囲内になった場合に無線電力伝送を実行するための情報が入力されたアドバタイズパケットの送信を開始する。また、受電年装置が送電装置と無線電力伝送を行うことができない場合に無線電力伝送を実行するための情報が入力されたアドバタイズパケットの送信を行わないようにすることができる。
【００５１】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2015109749.tif 000003
【図２】
2015109749.tif 000004
【図３】
2015109749.tif 000005
【図４】
2015109749.tif 000006
【図５】
2015109749.tif 000007
【図６】
2015109749.tif 000008
【図７】
2015109749.tif 000009
【図８】
2015109749.tif 000010
【図９】
2015109749.tif 000011